(57)【要約】【課題】埋立処分場のガス抜きおよび埋立廃棄物層内の好気化を促進するための竪渠を簡便かつ低廉に設置することができる埋立処分場の竪渠構造および形成方法を提供する。【解決手段】埋立処分場の埋立廃棄物層３中に形成するガス抜き竪渠２１であって、埋立処分場に埋立てる廃棄物の中から選別した所定形状の固形廃棄物２２を柱状に積み上げることで、ガス抜き竪渠２１のそれ自体を廃棄物で形成して埋立処分場の容積を損失することなくガス抜き竪渠２１を設置でき、有価値物である建設資材の栗石を使用することなく、無価値物である廃棄物の有効利用を図ることができる。【選択図】    図１
2004351241.tif 000002
【特許請求の範囲】
【請求項１】
埋立処分場の埋立廃棄物層中に形成するガス抜き竪渠であって、埋立処分場に埋立てる廃棄物の中から選別した所定形状の固形廃棄物を柱状に積み上げたことを特徴とする埋立処分場の竪渠構造。
【請求項２】
埋立処分場の埋立廃棄物層中にガス抜き竪渠を形成するに際して、所定高さの円筒状の竪渠形成型を遮水工の上に立設し、埋立処分場に埋立てる廃棄物の中から選別した所定形状の固形廃棄物を竪渠形成型に投入し、竪渠形成型の外側の埋立空間に廃棄物を埋立て、埋立廃棄物層の高さが所定高さに達した時に竪渠形成型を埋立廃棄物層の表層まで引き上げて埋立廃棄物層中に固形廃棄物を柱状に積み上げた竪渠を形成し、引き上げた竪渠形成型に再び固形廃棄物を投入し、竪渠形成型の外側の埋立空間に廃棄物を埋立てることを繰り返して埋立廃棄物層中に順次に継ぎ足しながら竪渠を形成することを特徴とする埋立処分場の竪渠形成方法。
【発明の詳細な説明】
【０００１】
【発明の属する技術分野】
本発明は埋立処分場の竪渠構造および形成方法に関し、埋立処分場のガス抜きおよび埋立廃棄物層内の好気化を促進するための竪渠の技術に係るものである。
【０００２】
【従来の技術】
近年、廃棄物の埋立処分工法として採用事例の多い準好気性埋立処分場としては例えば図７に示すものがある。この準好気性埋立処分場は埋立地の埋立基礎地盤１に遮水工２を施工し、遮水工２の上方に廃棄物を埋め立てる領域を形成し、この領域に埋立廃棄物層３を形成するものであり、遮水工２は粘土層や遮水シート等からなるもので、降水等に由来する浸出水が埋立地基礎地盤１へ浸透することを防止するものである。この廃棄物を埋め立てる埋立領域と非埋立領域の境には双方の領域を隔てる堰堤４を設けており、さらに埋立領域は区画堤（図示省略）によって域内を複数に区画する場合もある。
【０００３】
遮水工２の上部には集排水管５を配設しており、集排水管５は下流端が堰堤４に形成した集排水ピット６に連通している。集排水管５は浸出水を排出するためのものであり、その構造は種々のものがあるが、ここでは有孔管７の周囲を栗石８で覆った構造をなす。埋立廃棄物層３の所定位置には埋立廃棄物層３で発生するガスを外部へ排出するためにガス抜管（空気竪渠）９もしくは栗石１０を内部に積み上げた蛇かご１１を配置している。集排水ピット６には排水ポンプ１２を設けており、集排水ピット６に流入した浸出水を排水ポンプ１２で浸出水処理施設に送水する。
【０００４】
この構造では集排水管５によって浸出水をできるだけ速やかに埋立地の系外へ排除する。また、廃棄物の微生物分解によって発生した熱で埋立地内の温度が上昇して内部温度と外気温度との差により熱対流が生じ、この熱対流で空気（酸素）が集排水管５を通って埋立廃棄物層３へ導入され、空気を取り込むことによって埋立廃棄物層３の中に好気性の微生物環境を形成する。また、集排水管５に接続するガス抜管９または蛇かご１１によって空気を埋立廃棄物層３へ導入して好気性領域を増加させ、埋立廃棄物層３の浄化機能を増進して微生物の活性を高めて埋立地の早期安定化を促進する。
【０００５】
この種の埋立処分方法に係る先行技術文献としては特許文献１がある。この特許文献１は、廃棄物を埋立てた廃棄物埋立地のガス抜き竪渠に浸出水を循環することにより、廃棄物層内の微生物分解活性を高めるものであり、埋立廃棄物層内にガス抜き竪渠を設けている。
【０００６】
【特許文献１】
特開平１１−２１６４４０号公報
【０００７】
【発明が解決しようとする課題】
上記した構成において、蛇かご１１の内部に投入する栗石は埋立地に搬入する廃棄物ではなく、蛇かご１１で竪渠を形成することを目的として他所から埋立地に搬入する建設資材である。蛇かご１１による竪渠は埋立を開始する前に集排水管５等と共に遮水工２の上に予め必要な高さまで設置している。
【０００８】
しかし、蛇かご１１を栗石で形成すると、その分だけ埋立容積が減少する。また、埋立地に立設した竪渠は埋立地へ廃棄物を搬入する際の障害となることがある。
【０００９】
本発明は上記した課題を解決するものであり、埋立処分場のガス抜きおよび埋立廃棄物層内の好気化を促進するための竪渠を簡便かつ低廉に設置することができる埋立処分場の竪渠構造および形成方法を提供することを目的とする。
【００１０】
【課題を解決するための手段】
上記課題を解決するために、請求項１に係る本発明の埋立処分場の竪渠構造は、埋立処分場の埋立廃棄物層中に形成するガス抜き竪渠であって、埋立処分場に埋立てる廃棄物の中から選別した所定形状の固形廃棄物を柱状に積み上げたものである。
【００１１】
この構成によれば、ガス抜き竪渠自体を廃棄物で形成することで埋立処分場の容積を損失することなくガス抜き竪渠を設置でき、有価値物である建設資材の栗石を使用することなく、無価値物である廃棄物の有効利用を図ることができる。所定形状の固形廃棄物としては、がれき、廃棄ブラスチック固形物、木材、木製品、金属材、コンクリート破砕物等があり、これらの一種または複数種で竪渠を形成する。
【００１２】
請求項２に係る本発明の埋立処分場の竪渠形成方法は、埋立処分場の埋立廃棄物層中にガス抜き竪渠を形成するに際して、所定高さの円筒状の竪渠形成型を遮水工の上に立設し、埋立処分場に埋立てる廃棄物の中から選別した所定形状の固形廃棄物を竪渠形成型に投入し、竪渠形成型の外側の埋立空間に廃棄物を埋立て、埋立廃棄物層の高さが所定高さに達した時に竪渠形成型を埋立廃棄物層の表層まで引き上げて埋立廃棄物層中に固形廃棄物を柱状に積み上げた竪渠を形成し、引き上げた竪渠形成型に再び固形廃棄物を投入し、竪渠形成型の外側の埋立空間に廃棄物を埋立てることを繰り返して埋立廃棄物層中に順次に継ぎ足しながら竪渠を形成するものである。
【００１３】
上記した構成により、埋立処分場に埋立てる廃棄物の中から選別した所定形状の固形廃棄物を柱状に積み上げ、蛇かごのように埋立当初から所定高さを有するのではなく、埋立廃棄物層の増加に伴って竪渠を形成することにより、ガス抜き竪渠自体を廃棄物で形成して埋立処分場の容積を損失することなくガス抜き竪渠を設置でき、竪渠が廃棄物の搬入を阻害する障害物となることがない。
【００１４】
【発明の実施の形態】
以下、本発明の実施の形態を図面に基づいて説明する。先に図７において説明したものと同様のものには同符号を付して説明を省略する。図１において、埋立処分場の埋立廃棄物層３の内部に形成するガス抜き竪渠２１は、埋立処分場に埋立てる廃棄物の中から選別した所定形状の廃棄物２２を柱状に積み上げたものである。所定形状の固形廃棄物としては、がれき、廃棄ブラスチック固形物、木材、木製品、金属材、コンクリート破砕物等があり、これらの一種または複数種で竪渠２１を形成する。
【００１５】
竪渠２１の形成方法を以下に説明する。図２に示すように、円筒状の竪渠形成型として所定高さの有孔鋼管２３を遮水工２の上に立設する。有孔鋼管２３は管壁に複数の孔を有している。次に、有孔鋼管２３の下部周囲を廃棄物２２で固めるとともに、有孔鋼管２３の内部に固形廃棄物２２を有孔鋼管２３の全高にわたって積み上げる。
【００１６】
次に、図３に示すように、有孔鋼管２３の外側の埋立空間に廃棄物を埋立てる。この間、竪渠形成型をなす有孔鋼管２３が管壁に複数の孔を有することで、竪渠２１を構築する間においても、有孔鋼管２３および内部の廃棄物２２が竪渠２１として機能する。
【００１７】
次に、図４に示すように、埋立廃棄物層３の高さが所定高さに達した時に、図５に示すように、有孔鋼管２３を埋立廃棄物層３の表層にまで引き上げて埋立廃棄物層３中に廃棄物２２を柱状に積み上げた竪渠２１を形成する。そして、図６に示すように、引き上げた有孔鋼管２３に対して、再びその下部周囲を固形廃棄物２２で固めるとともに、有孔鋼管２３の内部に固形廃棄物２２を有孔鋼管２３の全高にわたって積み上げる。
【００１８】
この操作を繰り返して埋立廃棄物層３の内部に順次に継ぎ足しながら竪渠２１を形成する。
【００１９】
【発明の効果】
以上のように本発明によれば、ガス抜き竪渠のそれ自体を廃棄物で形成することで埋立処分場の容積を損失することなくガス抜き竪渠を設置でき、有価値物である建設資材の栗石を使用することなく、無価値物である廃棄物の有効利用を図ることができる。埋立処分場に埋立てる廃棄物の中から選別した所定形状の固形廃棄物を柱状に積み上げ、埋立廃棄物層の増加に伴って竪渠を形成することにより、竪渠が廃棄物の搬入を阻害する障害物となることがない。
【図面の簡単な説明】
【図１】本発明の実施の形態における埋立処分場の竪渠構造を示す模式図である。
【図２】同実施の形態における埋立処分場の竪渠形成方法を示す模式図である。
【図３】同実施の形態における埋立処分場の竪渠形成方法を示す模式図である。
【図４】同実施の形態における埋立処分場の竪渠形成方法を示す模式図である。
【図５】同実施の形態における埋立処分場の竪渠形成方法を示す模式図である。
【図６】同実施の形態における埋立処分場の竪渠形成方法を示す模式図である。
【図７】従来の埋立処分場を示す模式図である。
【符号の説明】
１    埋立基礎地盤
２    遮水工
３    埋立廃棄物層
４    堰堤
５    集排水管
６    集排水ピット
７    有孔管
８    栗石
９    ガス抜管（空気竪渠）
１０    栗石
１１    蛇かご
１２    排水ポンプ
２１    竪渠
２２    固形廃棄物
２３    有孔管
【図１】
2004351241.tif 000003
【図２】
2004351241.tif 000004
【図３】
2004351241.tif 000005
【図４】
2004351241.tif 000006
【図５】
2004351241.tif 000007
【図６】
2004351241.tif 000008
【図７】
2004351241.tif 000009